(57)【要約】【課題】Ａ／Ｄ変換器の線形誤差を簡素な回路で測定し、線形誤差に帰するＡＰＣの制御誤差をＡ／Ｄ変換器前段でアナログ信号にオフセット値を加え、またはＡ／Ｄ変換器処理後のデジタルデータを補正して線形誤差を低減する。【解決手段】フォトダイオード１０８の出力電圧は、オペアンプ３０４でリファレンス電圧３０２の差分とオフセットＤＡＣ２０２及びＡ／Ｄ変換器の下端電圧３０５でオフセットされる。オペアンプ３０４の出力はＡ出力３０９とオペアンプ３０７の負側入力に接続され、オペアンプ３０７で下端電圧３０６と差分計算され、Ａ／Ｄ変換器の上端電圧３０８のオフセット値が追加される。Ａ出力３０９とＢ出力３１０はＡ／Ｄ変換器のスイッチ３１１で選択出力される。小さなＬＤ発光時のフォトダイオード出力をＡ／Ｄ変換器の下端電圧と上端電圧に適応することができ、Ａ／Ｄ変換器の特性をＬＤ発光特性が線形な領域で測定できる。【選択図】図３
2006172587.tif 000002
【特許請求の範囲】
【請求項１】
レーザダイオード発光により光ディスク媒体に情報を記録／再生する情報記録再生装置において、
前記レーザダイオード発光パワーを監視するフォトダイオードからの入力信号を、Ａ／Ｄ変換器の下端電圧からの正出力の信号に変更し、かつ前記Ａ／Ｄ変換器の上端電圧からの負出力の信号に変更する変更手段を備えたことを特徴とする情報記録再生装置。
【請求項２】
前記変更手段を用いて、Ａ／Ｄ変換器の変換特性を測定することを特徴とする請求項１記載の情報記録再生装置。
【請求項３】
前記Ａ／Ｄ変換器の前記変換特性に基づいて、前記Ａ／Ｄ変換器の線形誤差によるＡＤ変換後のデータのずれを二次の関数式により近似して格納する内部メモリを備えたことを特徴とする請求項２記載の情報記録再生装置。
【請求項４】
前記Ａ／Ｄ変換器の前記変換特性に基づいて、前記Ａ／Ｄ変換器の線形誤差を有するＡＤ変換後のデータを二次の関数式により近似して補正する手段を備えたことを特徴とする請求項２記載の情報記録再生装置。
【請求項５】
前記Ａ／Ｄ変換器の前記変換特性に基づいて、前記Ａ／Ｄ変換器の入力前段のアナログ信号にオフセット値を与える手段を備えたことを特徴とする請求項２記載の情報記録再生装置。
【請求項６】
前記Ａ／Ｄ変換器の前記変換特性に基づいて、前記Ａ／Ｄ変換器の入力前段のアナログ信号に与えるオフセット値を決定し、前記Ａ／Ｄ変換器の線形誤差を有するＡＤ変換後のデータを補正する手段を備えたことを特徴とする請求項２記載の情報記録再生装置。
【発明の詳細な説明】
【技術分野】
【０００１】
本発明は、レーザダイオードの発光を用いて光ディスク媒体等に情報を記録／再生する情報記録再生装置に関するものである。
【背景技術】
【０００２】
近年、情報記録再生装置として光ディスク装置が低価格で実用化されるようになってきた。とりわけ、ＤＶＤは大容量記録媒体としてコンピュータ機器の記憶装置から家庭用ビデオレコーダまで幅広い用途に用いられるようになり、従来と同程度の機能を有するデバイスを安価な部品により達成する技術が求められている。
【０００３】
安価なデバイスを構成する手段のひとつとして、アナログ回路をデジタル回路へ置き換える方法がある。例えば、光ディスク装置のフォーカシングサーボやトラッキングサーボのフィードバック制御において、従来はアナログ回路を用いたアナログサーボが主流であったが、現在ではアナログでの誤差信号をＡ／Ｄ変換器を用いてデジタルデータ化した後、ＤＳＰ（Digital Signal Processor）を用いて制御を行うデジタルサーボ化がなされている。
【０００４】
また、光ディスク装置の主要な制御処理としてサーボ制御の他に発光パワー制御がある。安定した記録再生を実現するためには発光パワーを一定に保つ必要があるが、その手段としてＡＰＣ（Auto Power Control）が広く用いられている。ＡＰＣとは記録再生時に発光パワーを監視し、所望の発光パワーになるようにフィードバック制御する手段のことをいう。
【０００５】
例えば、特許文献１ではアナログ回路でＡＰＣ回路を構成し安定した発光パワーを実現している。安価な半導体集積回路を実現するためにはアナログ回路をできるだけ減少させデジタル処理することが望ましい。また、特許文献２では発光パワーをＡＤ変換処理したデジタルデータを、ＣＰＵを用いたソフトウェアで処理することによりＡＰＣ処理を実現している。
【特許文献１】特開平８−９６３６４号公報
【特許文献２】特開２００１−２３１７３号公報
【発明の開示】
【発明が解決しようとする課題】
【０００６】
しかしながら、このようなデジタル処理を行う場合、アナログ信号をデジタル化するときの量子化誤差が制御誤差になる。この量子化誤差は分解能の大きなＡ／Ｄ変換器を用いることである程度低減することができる。また、その他の制御誤差を生じる要因としてＡ／Ｄ変換器の線形誤差がある。本来はアナログ信号に対して線形的なデジタルデータへのデータ変換を理想とするが、回路の構成上非線形な変換特性を示すことがある。この場合、現実の発光量とＡＰＣ範囲内で監視する発光量が異なることになるという問題があった。
【０００７】
本発明は、前記従来技術の問題を解決することに指向するものであり、前述したＡ／Ｄ変換器の線形誤差を低減させるため、予め装置の線形誤差を測定しておき実際のＡＰＣ処理のＡ／Ｄ変換器の前段または後段で補正処理を行えばよいことから、Ａ／Ｄ変換器の線形誤差を比較的簡素な回路を用いて測定する手段と、この手段により測定した線形誤差に帰するＡＰＣの制御誤差をＡ／Ｄ変換器の前段でアナログ信号にオフセット値を加えること、あるいはＡ／Ｄ変換器の処理後のデジタルデータを補正することで低下させる情報記録再生装置を提供することを目的とする。
【課題を解決するための手段】
【０００８】
前記の目的を達成するために、本発明に係る請求項１に記載される情報記録再生装置は、レーザダイオード発光により光ディスク媒体に情報を記録／再生する情報記録再生装置において、レーザダイオード発光パワーを監視するフォトダイオードからの入力信号を、Ａ／Ｄ変換器の下端電圧からの正出力の信号に変更し、かつＡ／Ｄ変換器の上端電圧からの負出力の信号に変更する変更手段を備えた構成によって、フォトダイオードからの入力信号をＡ／Ｄ変換器の上端電圧及び下端電圧を基準とした電位に変更できる。
【０００９】
また、請求項２に記載される情報記録再生装置は、請求項１の情報記録再生装置の変更手段を用いて、Ａ／Ｄ変換器の変換特性を測定する構成によって、レーザダイオードの発光パワーが小さい電圧でもＡＤ変換の上端電圧及び下端電圧の特性を測定できる。
【００１０】
また、請求項３，４に記載される情報記録再生装置は、請求項２の情報記録再生装置において、Ａ／Ｄ変換器の変換特性に基づいて、Ａ／Ｄ変換器の線形誤差によるＡＤ変換後のデータのずれを二次の関数式により近似して格納する内部メモリを備えたこと、またＡ／Ｄ変換器の線形誤差を有するＡＤ変換後のデータを二次の関数式により近似して補正する手段を備えた構成によって、内部メモリに保管することでＡＤ変換後の測定結果を後で利用でき、二次の関数式によりＡＤ変換後のデータを補正できる。
【００１１】
また、請求項５，６に記載される情報記録再生装置は、請求項２の情報記録再生装置において、Ａ／Ｄ変換器の変換特性に基づいて、Ａ／Ｄ変換器の入力前段のアナログ信号にオフセット値を与える手段を備えたこと、また、Ａ／Ｄ変換器の入力前段のアナログ信号に与えるオフセット値を決定し、Ａ／Ｄ変換器の線形誤差を有するＡＤ変換後のデータを補正する手段を備えた構成によって、オフセット値をアナログ信号に与えることで制御部の負担を軽減して、比較的容易な計算でＡＤ変換後の線形誤差を低減できる。
【発明の効果】
【００１２】
本発明によれば、レーザダイオード（以下、ＬＤという）の発光パワーをＡＤ変換処理したデジタルデータによりＡＰＣ処理を行う場合に、Ａ／Ｄ変換器の特性値を測定する手段により測定した値をＡＤ変換後のデータに補正係数として演算することでＡＰＣの制御誤差を低減して、また、ＡＤ変換前にＬＤ発光パワーを監視するフォトダイオードからの入力にオフセット値を加減することでＡ／Ｄ変換器の線形性のずれに基づく発光パワーの取得誤差を低減でき、ＡＰＣ処理を精度よく行うことができるという効果を奏する。
【発明を実施するための最良の形態】
【００１３】
以下、図面を参照して本発明における実施の形態を詳細に説明する。
【００１４】
図１は本発明の実施の形態における情報記録再生装置の概略構成を示すブロック図である。図１において、１０１は光ディスク１００をマウントするディスクマウント部を示し、マウントされた光ディスク１００はスピンドルモータ１０４により回転駆動する。１０２は対物レンズ，ＬＤ（レーザダイオード）を含む光学系である。その他に光ピックアップは、対物レンズを動作させるアクチュエータ１０３、プリアンプ内蔵フォトダイオード集積回路（以下、ＯＰＩＣという）１０７、ＬＤの発光パワーの一部を監視するフォトダイオード１０８、ＬＤドライバ１０６等で構成され、光ピックアップの移動はスレッジモータ１０５を用いて行う。
【００１５】
ＯＰＩＣ１０７で電流−電圧変換された受光信号はマトリックスアンプ１０９で処理されフォーカス／トラック信号処理部１１０，ウォブル信号処理部１１１の入力信号となる。フォーカス／トラック信号処理部１１０で生成されたフォーカスエラー信号及びトラックエラー信号からサーボ制御部１１２はフォーカシングサーボ、トラッキングサーボが安定するようにアクチュエータ／モータドライバ１１３を介してアクチュエータ及びモータを駆動する。
【００１６】
また、ウォブル信号処理部１１１で生成されたウォブル信号はアドレスデコーダ１１４でデジタル処理されて位置情報となる。また、記録クロック発生部１１５は入力されたウォブル信号の周波数から回転速度に適合した記録クロックを生成する。
【００１７】
次に、本実施の形態の情報記録再生装置におけるユーザデータ再生時の動作を説明する。マトリックスアンプ１０９で生成されたＲＦ信号がイコライザ１１６にて波形等価にされた後、スライサ１１７及びＰＬＬ１１８で２値化信号に変わりデコーダ１１９で復調されてユーザデータが生成され、ＤＲＡＭ１２０を介してホストインタフェース（以下、ホストＩ／Ｆという）部１２１により上位装置に転送される。
【００１８】
また、情報記録再生装置におけるユーザデータ記録時は、ホストＩ／Ｆ部１２１によってＤＲＡＭ１２０に受信され、ユーザデータがエンコーダ１２２により変調された後、ＥＦＭ（Eight to Fourteen Modulation）生成部１２３により２値化信号に変えられ記録パルス発生部１２４で２値化信号のパターンに応じた記録パルスとなる。
【００１９】
生成された記録パルスは、ＡＰＣ回路１２５で制御された電流と共にＬＤドライバ１０６に送られて、所望のタイミング及び発光パワーのＬＤ発光によって光ディスク１００上に２値データを記録する。ＬＤ発光は温度等の環境変化により影響を受けやすいためパワー制御部（図示せず）の出力パワーは前述のＡＰＣ回路１２５でフィードバック処理により補正される。ＭＰＵ部１２６は内部フラッシュメモリのプログラムコードを実行するマイクロプロセッサユニットである。
【００２０】
図２は本実施の形態におけるＡＰＣ回路の概略構成を示すブロック図である。ここで、図１において説明した構成部材に対応し同等機能を有するものには同一の符号を付して示し、また以下の各図においても同様とする。
【００２１】
図２に示すように、発光パワーの一部を検出するフォトダイオード１０８からの発光パワーレベルに対応した電圧レベルは、アナログ信号をオフセットすることが可能なオフセットＤＡＣ（Digital Analog Converter）２０２に入力される。オフセットＤＡＣ２０２の出力は反転レベルシフト回路２０３に入力される。反転レベルシフト回路２０３はＡ／Ｄ変換器の線形性を測定するための回路で通常のＡＰＣ回路動作時とＡ／Ｄ変換器の線形性の際で出力を切り替えて用いる。
【００２２】
反転レベルシフト回路２０３の出力はローパスフィルタ（以下、ＬＰＦという）２０４で高域ノイズが除去されてＡ／Ｄ変換器２０５の入力となる。Ａ／Ｄ変換器２０５でデジタル変換された発光パワーレベルはデジタル信号処理部２０６で目標値と比較され誤差成分となる。誤差成分は必要に応じて平均化され、誤差に応じた制御値がＤ／Ａ変換器２０７に入力される。アナログ変換された制御信号はＬＤドライバ１０６の制御電流となり、光ディスク１００膜面の照射パワーが変更される。
【００２３】
図３は本実施の形態におけるアナログ信号の出力にオフセット値を加えるオフセットＤＡＣを含む反転レベルシフト回路を示す回路図である。図３に示すように、フォトダイオード１０８からの出力電圧は、オペアンプ３０４でリファレンス電圧（ＶＲＥＦ）３０２の差分とオフセットＤＡＣ２０２及びＡ／Ｄ変換器の下端電圧（ＶＲＢ；Voltage of Reference Bottom）３０５によってオフセットされる。オペアンプ３０４の出力はＡ出力３０９とオペアンプ３０７の負側入力に接続され、オペアンプ３０７で下端電圧（ＶＲＢ）３０６と差分計算され、さらにＡ／Ｄ変換器の上端電圧（ＶＲＴ；Voltage of Reference Top）３０８のオフセット値が追加される。Ａ出力３０９とオペアンプ３０７からのＢ出力３１０はＡ／Ｄ変換器のスイッチ３１１によって選択出力される。
【００２４】
次に、図４を用いて本実施の形態における反転レベルシフト回路の出力について説明する。図４（ａ）はフォトダイオードの出力電圧の模式図である。受光レベルが大きくなるとそれに対応した電圧変動ΔＶがリファレンス電圧（ＶＲＥＦ）からＧＮＤレベルまで負出力で変動する。図４（ｂ）は正出力に電圧変動ΔＶが出力される場合の反転レベルシフト回路後段の出力波形を示す模式図で、図３に示すＡ出力３０９の出力波形である。電圧変動ΔＶは下端電圧（ＶＲＢ）から上端電圧（ＶＲＴ）までの間で正出力に変動する。図４（ｃ）は負出力に電圧変動ΔＶ’が出力される場合の反転レベルシフト回路後段の出力波形を示す模式図で、図３に示すＢ出力３１０の出力波形である。電圧変動ΔＶ’は上端電圧（ＶＲＴ）から下端電圧（ＶＲＢ）までの間で負出力に変動する。
【００２５】
図５は本実施の形態におけるフォトダイオード受光レベルとＡＤ変換したデジタルデータのＡＤ変換値の関係を示す特性図である。図５に示すように、線５０１は理想的なＡ／Ｄ変換器の特性であり、受光レベルに対して一次線形的な変換結果を示す。これに対して、線５０２は実際の変換特性であり、受光レベルに対して弓矢型の変換特性を示す。
【００２６】
また、図６はＡ／Ｄ変換器の変換特性を測定する際の測定ポイントを含む、図３の反転レベルシフト回路の出力電圧でＡ／Ｄ変換器入力電圧とＡＤ変換値の関係を示す図である。図６において、電圧レベルＶａ，Ｖａ’及び電圧レベルＶｂ，Ｖｂ’は反転レベルシフト回路の入力段ではそれぞれ同じ電圧レベルであったもので、電圧レベルＶａ，Ｖｂが図３に示すＡ出力３０９、電圧レベルＶａ’，Ｖｂ’が図３に示すＢ出力３１０の出力に相当する。つまり、反転レベルシフト回路によって電圧レベルをＡ／Ｄ変換器の下端電圧を基準とした正出力と上端電圧を基準とした負出力に変更している。
【００２７】
本実施の形態では図６に示す入力電圧Ｖａ，Ｖｂ，Ｖａ’，Ｖｂ’と対応したＡ／Ｄ変換器の出力するＡＤ変換値Ｎａ，Ｎｂ，Ｎａ’，Ｎｂ’から、Ａ／Ｄ変換器の変換特性を、入力電圧をＶ，デジタルデータ出力をＮとした最小二乗法により二次関数化することで、Ａ／Ｄ変換器の変換特性を二次関数式の（数１）で近似している。
【００２８】
【数１】
2006172587.tif 000003
反転レベルシフト回路の出力を用いて線形性を測定する目的は低いフォトダイオード出力でＡ／Ｄ変換器の上端電圧と下端電圧の変換特性を測定することにある。
【００２９】
図７は本実施の形態におけるＬＤ駆動電流を横軸、発光パワーを縦軸にしたＬＤ発光特性を示す図である。図７に示すように、線７０１は理想的なＬＤ発光特性であり、線７０２は実際のＬＤ発光特性である。理想的な出力がＬＤ駆動電流に対して一次線形的な出力を示すのに対し、実際のＬＤ発光では発光パワーが大きい領域で一次線形的な特性からずれてしまう。
【００３０】
反転レベルシフト回路を用いずに正出力だけでＡ／Ｄ変換器の特性を測定しようと試みた場合、Ａ／Ｄ変換器の上端電圧付近の特性を測定するためには発光パワーを大きくする必要があるが、ＬＤ発光効率が低下するためにＬＤ発光自体が線形性を失ってしまい、Ａ／Ｄ変換器単独での特性を測定することが困難になる。しかし、反転レベルシフト回路を用いると小さなパワーでＬＤ発光時のフォトダイオード出力をＡ／Ｄ変換器の下端電圧と上端電圧に適応することが可能となり、ＬＤ発光特性が線形な領域でＡ／Ｄ変換器の特性を測定することができる。
【００３１】
図８は本実施の形態におけるＡＰＣ処理を行うデジタル信号処理部のブロック図である。図８に示すように、フォトダイオード（図２参照）の出力がＬＰＦ２０４を介してＡ／Ｄ変換器２０５によりデジタルデータに変換される。デジタルデータはＭＰＵ８０３が演算係数格納メモリ８０４に格納されたＡ／Ｄ変換器２０５の線形性の補正係数で演算され、ＡＤ変換データ格納メモリ８０６の入力となる。ＡＤ変換データ格納メモリ８０６の値はＡＰＣ目標値格納メモリ８０５の値と加算器８０７で比較演算されて積分器８０８への入力となる。この比較演算の結果は積分後に、Ｄ／Ａ変換器２０７によってアナログ電圧に変換され、ＬＤドライバ１０６の制御電位となる。
【００３２】
図９は本実施の形態におけるデジタル信号処理部のＭＰＵにおける演算の方法を示す図である。図９に示すように、Ａ／Ｄ変換器２０５の特性測定で得られた補正をする二次関数式において、二次の演算係数をａ，一次の演算係数をｂ，ゼロ次の演算係数をｃとすると、Ａ／Ｄ変換器２０５からのデータＸは（数２）の演算処理９０２によって、データＸ’が演算されてＡＤ変換データ格納メモリ８０６に入力される。
【００３３】
【数２】
2006172587.tif 000004
次に、Ａ／Ｄ変換器の線形性をＡＰＣ回路のオフセットＤＡＣを用いて行う場合について図１０及び図２を参照しながら説明する。図１０（ａ），（ｂ）は、Ａ／Ｄ変換器入力電圧を横軸にＡＤ変換値を縦軸にした図である。図１０（ａ）はオフセットＤＡＣを用いない場合である。図１０（ａ）に示すように、例えばＡＰＣ回路１２５の実使用領域でＡ／Ｄ変換器２０５の入力範囲がＶｉ〜Ｖｊの間であると予測される場合、オフセットＤＡＣ２０２を使用しないＡ／Ｄ変換器２０５の特性として、線１００２は理想特性の線１００１から大きくはずれてしまう。これに対して、図１０（ｂ）はＡＰＣ回路にアナログ信号のオフセット値のΔｋを持たせた場合である。図１０（ｂ）に示すように、Ａ／Ｄ変換器２０５の特性の線１００２’はＶｉ〜Ｖｊの間で理想特性の線１００１に非常に近づく。このオフセット値をＡＤ変換特性の測定結果の二次関数式から求める。
【００３４】
実際に実施の形態におけるＡＤ変換特性の数値を例にとってオフセット値を計算する。理想特性として、右辺の入力電圧ＶがＡ／Ｄ変換器入力電圧、左辺のＮｉがＡＤ変換したデジタルデータＮのＡＤ変換値（ＬＳＢ）との関係式を（数３）とする。
【００３５】
【数３】
2006172587.tif 000005
本実施の形態において、１０ビットの仕様のＡ／Ｄ変換器を０〜１．６５（ｖ）の入力ダイナミックレンジで用いた場合、「Ｎｉ（Ｖ）＝６２０×Ｖ」となるが、構成上のオフセットを考慮し係数を加えた（数３）となる。
【００３６】
この関係式（数３）の仕様に対して実際にＡ／Ｄ変換器に入力を与えてＡＤ変換した結果を測定した。図６に示す、Ａ／Ｄ変換器入力電圧Ｖａ，Ｖｂ，Ｖａ’，Ｖｂ’はＬＤの発光パワーに連動して変化するので、任意のＬＤ発光パワーを２点、ＬＤドライバの設定で決定する。またフォトダイオードからの出力は０〜１．６５（ｖ）がダイナミックレンジである。図３に示す反転レベルシフト回路において下端電圧（ＶＲＢ）３０６を０（ｖ）、上端電圧（ＶＲＴ）３０８を１．６５（ｖ）とする。
【００３７】
いま、フォトダイオード１０８出力からの入力のひとつが１．５５（ｖ）、もうひとつが１．３５（ｖ）であったとする。これを図３の反転レベルシフト回路のスイッチ３１１をＡ出力３０９側として、この出力に基づきＡＤ変換値を実測した結果が８７，２３５であった。これをそれぞれＮａ，Ｎｂと称する。このときのＡ／Ｄ変換器の入力段の電位は０．１（ｖ）と０．３（ｖ）になり、それぞれをＶａ，Ｖｂとする。次に、図３の反転レベルシフト回路のスイッチ３１１をＢ出力３１０側として、同じフォトダイオード１０８出力からの入力に対しＡＤ変換値を実測した結果が９４３，８５５であった。これをそれぞれＮａ’，Ｎｂ’と称する。このときのＡ／Ｄ変換器の入力段の電位は１．５５（ｖ）と１．３５（ｖ）となり、これらをＶａ’，Ｖｂ’とする。
【００３８】
ここで、Ｖａ＝０．１（ｖ）に対応するＡＤ変換値をＮａ＝８７、Ｖｂ＝０．３（ｖ）に対応するＡＤ変換値をＮｂ＝２３５、Ｖｂ’＝１．３５（ｖ）に対応するＡＤ変換値をＮｂ’＝８５５、Ｖａ’＝１．５５（ｖ）に対応するＡＤ変換値をＮａ’＝９４３として、Ｖを右辺、Ｎを左辺として最小二乗法で近似した式を求める。
【００３９】
以上のように実際に測定した特性が（数４）である。
【００４０】
【数４】
2006172587.tif 000006
なお、前述の測定では入力電位をフォトダイオードの出力としてＬＤドライバの設定で決定しているが、フォトダイオードの出力に定電位電源出力を置き換えて２つの定電位を供給して測定してもよい。
【００４１】
ここで、実使用領域がＶｉ＝０．５（ｖ），Ｖｊ＝１．５（ｖ）であったとすると、（数４）を０．５〜１．５（ｖ）の範囲で最小二乗法にて直線近似したＡ／Ｄ変換器の出力値をＮｒｒとすると（数５）で表される。
【００４２】
【数５】
2006172587.tif 000007
ここで、ＶｉとＶｊの中点である１（ｖ）ときのＮｒは（数６）となり、
【００４３】
【数６】
2006172587.tif 000008
また、（数５）でＮｒｒ＝６２０となるＶは（数７）となる。
【００４４】
【数７】
2006172587.tif 000009
ここで（数３）と（数５）のＮｉ＝Ｎｒｒのときの電圧差Ｎｒｒ−は（数８）により計算される。
【００４５】
【数８】
2006172587.tif 000010
この０．０９（ｖ）が図１０（ｂ）のオフセット値のΔｋに当たる。図３に示す回路に当てはめるとオフセットＤＡＣ２０２で−０．０９（ｖ）をオフセット値として減算することと同義でＶｉとＶｊ間の理想特性との誤差を低減することができる。オフセットＤＡＣ２０２を用いたＡＤ変換特性の補正は予めアナログ信号に一定のオフセット値を与えればよいので、ＡＤ変換後にＭＰＵが関与する必要はないためＭＰＵ処理の負担を軽減することができる。
【産業上の利用可能性】
【００４６】
本発明に係る情報記録再生装置は、ＬＤ発光パワーをＡＤ変換処理したデジタルデータによりＡＰＣ処理を行う場合に、Ａ／Ｄ変換器の特性値を測定した値をＡＤ変換後のデータに補正係数として演算しＡＰＣの制御誤差を低減して、また、ＡＤ変換前にＬＤ発光パワーを監視するフォトダイオードからの入力にオフセット値を加減してＡ／Ｄ変換器の線形性のずれに基づく発光パワーの取得誤差を低減し、ＡＰＣ処理を精度よく行うことができ、ＬＤ発光により光ディスク媒体等に情報を記録／再生する情報記録再生装置に有用である。
【図面の簡単な説明】
【００４７】
【図１】本発明の実施の形態における情報記録再生装置の概略構成を示すブロック図
【図２】本実施の形態におけるＡＰＣ回路の概略構成を示すブロック図
【図３】本実施の形態におけるアナログ信号の出力にオフセット値を加えるオフセットＤＡＣを含む反転レベルシフト回路を示す回路図
【図４】本実施の形態における出力波形を示し（ａ）はフォトダイオード出力電圧の模式図、（ｂ）は正出力に電圧変動ΔＶの模式図、（ｃ）は負出力に電圧変動ΔＶ’の模式図
【図５】本実施の形態におけるフォトダイオード受光レベルとＡＤ変換したデジタルデータのＡＤ変換値の関係を示す特性図
【図６】本実施の形態におけるＡ／Ｄ変換器の特性を測定する測定ポイントと、Ａ／Ｄ変換器入力電圧とＡＤ変換値の特性図
【図７】本実施の形態におけるＬＤ駆動電流と発光パワーのＬＤ発光特性を示す図
【図８】本実施の形態におけるＡＰＣ処理を行うデジタル信号処理部のブロック図
【図９】本実施の形態におけるデジタル信号処理部のＭＰＵにおける演算の方法を示す模式図
【図１０】本実施の形態におけるＡ／Ｄ変換器入力電圧とＡＤ変換値の（ａ）はオフセットＤＡＣを用いない場合、（ｂ）はオフセットＤＡＣを用いた場合を示す特性図
【符号の説明】
【００４８】
１００  光ディスク
１０１  ディスクマウント部
１０２  光学系
１０３  アクチュエータ
１０４  スピンドルモータ
１０５  スレッジモータ
１０６  ＬＤドライバ
１０７  ＯＰＩＣ
１０８  フォトダイオード
１０９  マトリックスアンプ
１１０  フォーカス／トラック信号処理部
１１１  ウォブル信号処理部
１１２  サーボ制御部
１１３  アクチュエータ／モータドライバ
１１４  アドレスデコーダ
１１５  記録クロック発生部
１１６  イコライザ
１１７  スライサ
１１８  ＰＬＬ
１１９  デコーダ
１２０  ＤＲＡＭ
１２１  ホストＩ／Ｆ部
１２２  エンコーダ
１２３  ＥＦＭ生成部
１２４  記録パルス発生部
１２５  ＡＰＣ回路
１２６  ＭＰＵ部
２０２  オフセットＤＡＣ
２０３  反転レベルシフト回路
２０４  ＬＰＦ
２０５  Ａ／Ｄ変換器
２０６  デジタル信号処理部
２０７  Ｄ／Ａ変換器
３０２  リファレンス電圧
３０４，３０７  オペアンプ
３０５，３０６  下端電圧
３０８  上端電圧
３０９  Ａ出力
３１０  Ｂ出力
３１１  スイッチ
８０３  ＭＰＵ
８０４  演算係数格納メモリ
８０５  ＡＰＣ目標値格納メモリ
８０６  ＡＤ変換データ格納メモリ
８０７  加算器
８０８  積分器
９０２  演算処理
【図１】
2006172587.tif 000011
【図２】
2006172587.tif 000012
【図３】
2006172587.tif 000013
【図４】
2006172587.tif 000014
【図５】
2006172587.tif 000015
【図６】
2006172587.tif 000016
【図７】
2006172587.tif 000017
【図８】
2006172587.tif 000018
【図９】
2006172587.tif 000019
【図１０】
2006172587.tif 000020